(57)【要約】      （修正有）【課題】椅子への着席時の腹部及び腰部から足先までの下半身全体の保温を促進し、装着したままでの歩行移動が可能な足ポケットを付けた膝掛けを含む下半身防寒保温・防護具を提供する。【解決手段】起立・着席時の着脱や装着が容易に行えるよう膝辺りまでの深さで製作された歩行可能な足ポケットを付けた膝掛けを含む下半身防寒保温・防護具により、着席時に足ポケットに足を入れて膝掛け部を下半身に巻き付ける為、足先から腰までの下半身全体の保温が可能となり、又必要に応じ、同膝掛けを含む下半身防寒保温・防護具の足ポケット部の足出し口を開き、足出し口から足先を出し、膝掛け部を腰に巻き歩行移動が出来るため、保温効果を維持しながら室内や屋外への移動が可能となり、地震等の緊急時においても安全な歩行移動が可能となり防護効果を発揮すると同時に防寒対策にもなる。【選択図】図１
0003163825.tif 000002
【実用新案登録請求の範囲】
【請求項１】
歩行可能な足ポケットを付けた膝掛けを含む下半身防寒保温・防護具で、同膝掛けを含む下半身防寒保温・防護具は歩行を可能にする為に内部の足ポケットに足を出し入れ可能な足出し口を左右に付け、足出し口は紐で自由に開閉が出来、紐の開閉を維持する為、紐にストッパーを付け、同膝掛けの足を入れるポケットの足出し口の間に歩行を容易にする為に広いマチを付けた、背面からも前面からも装着可能な歩行可能な足ポケットを付けた膝掛けを含む下半身防寒保温・防護具。
【請求項２】
足ポケット部と膝掛け部を着脱可能とした請求項１に記載の歩行可能な足ポケットを付けた膝掛けを含む下半身防寒保温・防護具。
【考案の詳細な説明】
【技術分野】
【０００１】
本考案は椅子への着席時の腹部及び腰部から足先までの下半身全体の保温を促進し、装着したままでの歩行移動が可能な足ポケットを付けた膝掛けを含む下半身防寒保温・防護具に関するものである。
【背景技術】
【０００２】
従来の膝掛けは、移動の度ごとに膝掛を外さなければならないため充分な保温効果が得られず、また足先から暖めるためには腰周りから足先までの下半身全体をシュラフ状の袋に入れる必要があるが、これにより保温効果は高まっても容易に移動が出来ず、また膝掛けとレッグウォーマーの着用により下半身の保温効果が得られ移動が可能になっても寒冷地における気温の冷え込みに対しては万全な寒さ対策とはいえず美観も損なわれるという問題点があった。
【先行技術文献】
【特許文献】
【０００３】
【特許文献１】特開２００７−３１４９２２
【特許文献２】特開２００９−３９４８０
【考案の概要】
【考案が解決しようとする課題】
【０００４】
前述のように膝掛けの効果は足全体の保温までは及ばず、移動の度ごとに膝掛けを体から外してから席を立つため、充分な保温効果は得られない。
【課題を解決するための手段】
【０００５】
本考案は膝掛けを含む下半身防寒保温・防護具内部に歩行を可能にする足の出し入れが可能な足出し口を左右に付け、足出し口は紐で自由に開閉が出来、紐の開閉を維持する為、紐にストッパーを付け、同膝掛けを含む下半身防寒保温・防護具内部の足を入れるポケットの足出し口の間に歩行を容易にする為に広いマチを付けたものであり、更に足ポケットと膝掛け部を着脱可能としたことを主要な特徴とする。
【０００６】
歩行可能な足ポケットを付けた膝掛けを含む下半身防寒保温・防護具内部の足ポケットＡ−３は５０ｃｍ程の幅で膝掛け部と同じ長さにして膝掛け部Ａ−２の裏に取付ける（Ａ−１）。
【０００７】
同膝掛け含む下半身防寒保温・防護具内部の足を入れるポケットC-7は起立着席時に足の出し入れが容易な膝辺りの深さとし、足を入れるポケットC-7には自由に足を出し、歩行可能にする足出し口C-8を左右に設け、足出し口には紐C-9と紐にストッパーC-10を付け、足出し口の開閉を維持し、左右の足出し口C-8の間に歩き易い様に広いマチC-11を付ける。
【０００８】
同膝掛けを含む下半身防寒保温・防護具内部の足を入れるポケットC-7は、椅子に着席時に足ポケットの膝の後ろの弛み防止と足ポケット内部の保温維持の為に足ポケット入り口C-6に緩く伸縮可能なゴム紐を入れる。
【０００９】
同膝掛けを含む下半身防寒保温・防護具内部の足ポケット上部C-4と足元C-5は保温効果を一層高める為に使用するカイロを格納できるようにカイロ用ポケットを取り付ける。
【００１０】
同膝掛けを含む下半身防寒保温・防護具を腰に装着する為に上部に紐B-3を付け、同膝掛け部を下半身に巻き付け、着席時に上部の紐B-3が邪魔にならない様に紐は短くても結べる緩い伸縮可能なゴム紐にする。歩行可能な足ポケットA-3は膝掛けA-2から容易に着脱が出来、着脱は歩行可能な足ポケットA-3の上部ボタンC-2と膝掛けA-2の上部ボタン穴B-2による着脱と、歩行可能な足ポケットA-3の中央ボタンC-3と膝掛けA-2の中央ボタン穴B-4 の着脱による。
【考案の効果】
【００１１】
歩行可能な足ポケットを付けた膝掛けを含む下半身防寒保温・防護具は内部の足ポケットに足を入れ下半身に巻き付ける事により、足元から腰までの下半身全体の保温を可能にする。足ポケットは起立及び着席の動作を容易に行えるよう膝辺りの深さにし、椅子に座ったり立ったりといった動作が多いオフィスで働く女性や主婦などの動作容易性を高めることを可能にする。特に冷え性の女性の場合はカイロ用ポケットにカイロを入れる事により、腰部、腹部及び足元の一層の保温効果が得られる。受験生やオフィスで働く女性が深夜まで勉強や残業をする時には同膝掛けを含む下半身防寒保温・防護具を腰に巻き、移動したい時は足ポケットから足を出し、装着のまま歩行移動が可能なため従来の膝掛けのように移動の度ごとに膝掛けを外して寒い思いをする事が無く、足元・下半身の保温維持が可能となる。
【００１２】
また地震や災害といった緊急時にも同膝掛けを含む下半身防寒保温・防護具を装着のまま安全に移動ができるため、防護効果を維持しながらも防寒対策に役立つ。
【００１３】
秋・冬の寒い時期はフリースや裏起毛地のような保温性が高い生地で製作し、春・夏はタオル地やレース地のようなで薄い生地で製作した同膝掛けを含む下半身防寒保温・防護具はエアコンによる体の冷え対策にも役立ち、また同膝掛けを含む下半身防寒保温・防護具はブランケットとしての機能を果たす膝掛け部と内部の歩行可能な足ポケット部が着脱可能であるため、それぞれを別々にして単独での使用も可能である。
【図面の簡単な説明】
【００１４】
【図１】歩行可能な足ポケットを付けた膝掛けを含む下半身防寒保温・防護具。
【図２】図1同膝掛けを含む下半身防寒保温・防護具から歩行可能な足ポケットを外した膝掛け。
【図３】図1同膝掛けを含む下半身防寒保温・防護具から外した歩行可能な足ポケット部。
【図４】図1同膝掛けを含む下半身防寒保温・防護具を装着し椅子に着席した図。
【図５】図1同膝掛けを含む下半身防寒保温・防護具から外した歩行可能な足ポケットを装着し椅子に着席した図。
【図６】図1同膝掛けを含む下半身防寒保温・防護具を背面から装着する図。
【図７】図1同膝掛けを含む下半身防寒保温・防護具を前面から装着する図。
【考案を実施するための形態】
【００１５】
歩行可能な足ポケットを付けた膝掛けを含む下半身防寒保温・防護具は歩行可能な足ポケットを膝掛け部に取り付ける事により、椅子に着席時に足元から腰までの下半身全体を保温する。移動時には同膝掛けを含む下半身防寒保温・防護具を装着のまま歩行移動が可能で足元・下半身の保温維持に役立ち、又地震等の緊急の際にも足先を出すことにより安全に歩行移動が可能であるため防護に役立つとともに防寒対策にもなる。
【実施例】
【００１６】
歩行可能な足ポケットを付けた膝掛けを含む下半身防寒保温・防護具
膝掛け部A-2の裏に膝掛け部と同じ丈の足ポケット部A-3を付ける。足ポケット部は起立着席の足の出し入れが容易な膝辺りの深さにするC-7。足ポケット部の足を出し入れ部分に緩くゴムを入れC-6、装着着席時に膝後ろの足ポケット入り口の弛みを防止、保温維持、足の出し入を容易に促す。起立着席が多いオフィスで働く女性や主婦、冷え性の女性に足ポケットを付けた膝掛けを含む下半身防寒保温・防護具は容易に装着出来る上、冷えを防止し保温に効果を発揮する。膝掛けを装着時、膝掛けを外しての移動はことに寒いが、足ポケットを付けた膝掛けを含む下半身防寒保温・防護具は下半身に装着したままの状態での歩行移動が可能となる。足ポケット部の底部に足を自由に出し入れ可能な足出し口を左右に2箇所 C-8を設ける。足出し口には開閉が自由な紐C-9と紐にストッパーを付けるC-10。足ポケット部の足出し口左右の間に広いマチを付け地震等の緊急の際にも安全に歩行移動が出来る。同足ポケットを付けた膝掛けを含む下半身防寒保温・防護具A-1は同足ポケット部A-3と膝掛け部A-2が容易に着脱が出来る。着脱は同足ポケット部A-3の上部ボタンC-2と膝掛けA-2の上部ボタン穴B-2による着脱と、同足ポケット部A-3の中央ボタンC-3と膝掛け部A-2の中央ボタン穴B-4 の着脱による。外した同足ポケット部は簡易膝掛けとして、また膝掛け部はブランケットとして別々に使用可能である。同足ポケットを付けた膝掛けを含む下半身防寒保温・防護具の中央上部C-4と足ポケット底C-5に必要に応じてカイロを入れるカイロ用ポケットがあり、上部のカイロ用ポケットC-4は同足ポケットを付けたひざ掛けを含む下半身防寒保温・防護具を後方からの装着時には腰回りに密着させ、前方からの装着時には腹部の位置辺りに密着させることにより、必要に応じカイロを入れて腰回りや腹部の保温が可能になり、また同足ポケットを付けた膝掛けを含む下半身防寒保温・防護具のポケットは容易に起立・着席が可能な膝辺りの深さにすることにより、立ったり座ったりといった動作が多いオフィスで働くや女性の仕事効率の向上に役立ち、又受験生やオフィスで働く女性が深夜まで勉強したりや残業する時には装着のまま歩行移動が出来るため、足元を含めての下半身の保温維持、防寒対策に役立ち、同足ポケットを付けたひざ掛けを含む下半身防寒保温・防護具は秋・冬の寒冷時にはフリースや裏起毛・綿パイル地等で保温性が高い生地で製作したものを使用し、春・夏の暑い時期にはタオル地やブロード地・レース地等で製作した同足ポケットを付けた膝掛け含む下半身防寒保温・防護具を使用することによりエアコン対策にも役立つ。
【符号の説明】
【００１７】
A-1歩行可能な足ポケットを付けた膝掛けを含む下半身防寒保温・防護具
A-2膝掛け部
A-3歩行可能な足ポケット部
B-1歩行可能な足ポケットを外した膝掛け部
B-2歩行可能な足ポケットと一体にする上部ボタン穴ひも
B-3下半身への巻き付け装着時に結ぶ緩いゴム紐
B-4歩行可能な足ポケットと一体にする中央ボタン穴ひも
C-1歩行可能な足ポケットを付けた膝掛け含む下半身防寒保温・防護具から外した歩行可能な足ポケット部
C-2膝掛け部と一体にする上部ボタン
C-3膝掛け部と一体にする中央ボタン
C-4発熱体・蓄熱体・保温体等を入れる上部ポケット
C-5発熱体・蓄熱体・保温体等を入れる足元ポケット
C-6ゴム入りの足入れ口
C-7足を入れるポケット部
C-8足出し口
C-9足出し口を開閉する紐
C-10紐を止めるストッパー
C-11広いマチ
【図１】
0003163825.tif 000003
【図２】
0003163825.tif 000004
【図３】
0003163825.tif 000005
【図４】
0003163825.tif 000006
【図５】
0003163825.tif 000007
【図６】
0003163825.tif 000008
【図７】
0003163825.tif 000009